(57)【要約】【課題】潤滑剤を確実に軌道に供給でき、潤滑性能にすぐれ、寿命の優れた転がり軸受を提供する。【解決手段】内周面端部に外輪肩部が形成され、両外輪肩部の中間部に外輪軌道２ａが形成された外輪２と、外周面両端部に内輪肩部が形成され、前記両内輪肩部の中間部に内輪軌道３ａが形成された内輪３と、外輪軌道２ａと内輪軌道３ａの間に配置される複数の転動体４と、前記転動体４を収納する保持器５とを備えた転がり軸受であって、保持器５は２個の円環状の耳部５ｂ，５ｃと、円周方向に複数設けられ、両耳部５ｂ，５ｃを軸方向に連結する複数の柱部５ｊとを有し、対峙する両耳部５ｂ，５ｃと２個の前記柱部５ｊで、転動体４を転動可能に保持する複数のポケット５ａを区画形成し、柱部５ｊに径方向に内周面、外周面の少なくとも一方に開口する径方向孔５ｌと、軸方向側面５ｉから径方向孔５ｌに連通する軸方向孔５ｐを有する。【選択図】図１
2013241993.tif 000002
【特許請求の範囲】
【請求項１】
内周面両端部に外輪肩部が形成され、前記両外輪肩部の中間部に外輪軌道が形成された外輪と、外周面両端部に内輪肩部が形成され、前記両内輪肩部の中間部に内輪軌道が形成された内輪と、前記外輪軌道と前記内輪軌道の間に配置される複数の転動体と、前記転動体を収納する保持器とを備えた転がり軸受であって、
前記保持器は２個の円環状の耳部と、円周方向に複数設けられ、前記両耳部を軸方向に連結する複数の柱部とを有し、対峙する前記両耳部と２個の前記柱部で、前記転動体を転動可能に保持する複数のポケットを区画形成し、前記柱部に径方向に内周面、外周面の少なくとも一方に開口する径方向孔と、軸方向側面から前記径方向孔に連通する軸方向孔を有することを特徴とする転がり軸受。
【請求項２】
前記軸方向孔は前記軸方向側面側が大径で前記径方向孔側が小径となるテーパー形状に形成されていることを特徴とする請求項１に記載の転がり軸受
【請求項３】
前記保持器の外周部または内周部の少なくとも一方に半径方向に突出する突起部を有し、前記径方向孔の開口部が前記突起部に形成されていることを特徴とする請求項１または請求項２に記載の転がり軸受
【請求項４】
前記保持器の前記径方向孔において、前記軸方向孔との連通部から径方向一方の前記開口部までの長さの長い長孔部と、前記軸方向孔との連通部から径方向他方の前記開口部までの長さの短い短孔部を有し、前記長孔部の直径が前記短孔部の直径より大きく形成されていることを特徴とする請求項１から請求項３のいずれかに記載の転がり軸受。
【発明の詳細な説明】
【技術分野】
【０００１】
本発明は転がり軸受に係わり、より詳しくは、ボールねじのサポート等に使用される小径の転がり軸受に関する。
【背景技術】
【０００２】
転がり軸受の性能にとって潤滑剤は最も重要な要素のひとつであり、軌道輪に形成された軌道に供給される潤滑剤の量によって、転がり軸受の寿命は大きく変動する。保持器に円環状の耳部が形成されたころがり軸受においては、軌道輪と保持器の円環状の耳部の間の隙間を通過して軌道に潤滑剤を供給する必要がある。しかし、特に小径のころがり軸受においては十分な潤滑剤を前記の隙間を通過して軌道に供給することは難しい。
【０００３】
ここで、転動体が収容されているポケットから円環状の耳部の外側の側面に貫通するグリース供給用の軸方向孔を設けた保持器が提案されている。（特許文献１参照）
【先行技術文献】
【特許文献】
【０００４】
【特許文献１】特開２００８−５７６３９号公報
【発明の概要】
【発明が解決しようとする課題】
【０００５】
しかしながら、前述のポケットから保持器の円環状の耳部を貫通する軸方向孔を設けた保持器を有する転がり軸受においては、グリース供給時、保持器の自重もしくは給脂ノズルの押付け力で、保持器が転動体側に移動し、転動体が前記軸方向孔の開口部を塞ぐことがある。この時、前記軸方向孔から供給されたグリースは前記ポケット内に供給されず、前記軌道部に供給されるグリースが不足し、軸受寿命は低下する。
【０００６】
この発明の目的は、潤滑剤を確実に軌道に供給することにより、潤滑性能にすぐれ、長寿命の転がり軸受を提供することにある。
【課題を解決するための手段】
【０００７】
前記の課題を解決するため、請求項１に係る発明の構成上の特徴は、内周面両端部に外輪肩部が形成され、前記両外輪肩部の中間部に外輪軌道が形成された外輪と、外周面両端部に内輪肩部が形成され、前記両内輪肩部の中間部に内輪軌道が形成された内輪と、前記外輪軌道と前記内輪軌道の間に配置される複数の転動体と、前記転動体を収納する保持器とを備えた転がり軸受であって、前記保持器は２個の円環状の耳部と、円周方向に複数設けられ、前記両耳部を軸方向に連結する複数の柱部とを有し、対峙する前記両耳部と２個の前記柱部で、前記転動体を転動可能に保持する複数のポケットを区画形成し、前記柱部に径方向に内周面、外周面の少なくとも一方に開口する径方向孔と、軸方向側面から前記径方向孔に連通する軸方向孔を有することである。
【０００８】
本発明の構成によると、前記軸方向孔に潤滑剤供給用のノズルを挿入し、前記ノズルより潤滑剤を供給することにより、潤滑剤は転動体に経路を塞がれることなく、前記径方向孔を経由して、確実に前記外輪軌道または前記内輪軌道に供給される。
【０００９】
前記の課題を解決するため、請求項２に係る発明の構成上の特徴は、前記軸方向孔は前記軸方向側面側が大径で前記径方向孔側が小径となるテーパー形状に形成されていることである。
【００１０】
本発明の構成によると、外径寸法が前記テーパー形状の軸方向孔の最小径より大きく、最大径より小さいノズルを前記軸方向孔に挿入すると、前記軸方向孔と前記ノズル外周部との間に隙間が生じることが無い。すなわち、潤滑剤を前記ノズルより供給すると、ノズルから吐出された潤滑剤は、軸方向孔と前記ノズル外周部との間から漏れることなく、前記径方向孔を経由して、確実に前記外輪軌道または前記内輪軌道に供給される。  
【００１１】
前記の課題を解決するため、請求項３に係る発明の構成上の特徴は、前記保持器の外周部または内周部の少なくとも一方に半径方向外輪軌道方向または内輪軌道方向に突出する突起部を有し、前記径方向孔の開口部が前記突起部の先端に形成されていることである。
【００１２】
本発明の構成によると、前記突起部の先端から軌道までの距離は、前記保持器の外周面から前記外輪軌道までの距離または前記保持器の内周面から前記内輪軌道までの距離より短く、前記軸方向孔から供給された潤滑剤は前記径方向孔を経由して前記外輪軌道または前記内輪軌道に的確に供給される。
【００１３】
前記の課題を解決するため、請求項４に係る発明の構成上の特徴は、前記保持器の前記径方向孔において、前記軸方向孔との連通部から径方向一方の前記開口部までの長さの長い長孔部と、前記軸方向孔との連通部から径方向他方の前記開口部までの長さの短い短孔部を有し、前記長孔部の直径が前記短孔部の直径より大きく形成されていることである。
【００１４】
粘性流体である潤滑剤の流量は流路の長さが長いほど減少し、流路の直径が大きいほど増加することがわかっている。上述のごとく、前記軸方向孔との連通部から外周面側開口部までの長さと、前記軸方向孔との連通部から内周面側開口部までの長さが異なる場合、直径が同じであれば、長さの長い長孔部の潤滑剤の流量は長さの短い短孔部の流量より少なくなる。
【００１５】
本発明の構成によると、上述の長さの長い長孔部の直径が、長さの短い短孔部の直径より大きい為、前記長孔部と前記短孔部の潤滑剤の流量の均等化が可能である。すなわち前記径方向孔を経由して軌道に供給される潤滑剤の量を等しくできるため、一方の軌道の潤滑剤の量が不足し、寿命が極端に短くなることはない。
【発明の効果】
【００１６】
この発明によれば、潤滑剤を確実に軌道に供給でき、潤滑性能にすぐれ、寿命の優れた転がり軸受を提供することができる。
【図面の簡単な説明】
【００１７】
【図１】本発明の実施形態の転がり軸受の断面図である。
【図２】図１の転がり軸受における保持器の単品断面図である。
【図３】図２の主要部の拡大断面図である。
【図４】図１の転がり軸受の使用例を説明する説明図である。
【図５】従来の転がり軸受の使用例を説明する説明図である。
【発明を実施するための形態】
【００１８】
この発明の実施の形態を、以下図面を参照して説明する。
【００１９】
図１は、本発明の実施形態の転がり軸受の断面図である。
図１において、転がり軸受１はアンギュラコンタクト玉軸受であり、外輪２と、内輪３と、転動体としての複数の玉４と、保持器５とで構成される。
【００２０】
外輪２は、外周面２ｂは円筒形状で、内周面一方端部に外輪肩部２ｃ、他方の端部に軸方向外方に拡径する外輪肩部としてのカウンタボア２ｄ、前記外輪肩部２ｃとカウンタボア２ｄの中間部に外輪軌道２ａが外周面２ｂと同一軸線に形成されている。内輪３は、内周面３ｂは円筒形状で、外周面両端部に内輪肩部３ｃ、３ｄ、前記両内輪肩部の中間部に内輪軌道３ａが内周面３ｂと同一軸線に形成されている。
【００２１】
図２は、本発明の実施形態の転がり軸受１の保持器の断面図であり、図３は図２の主要部の拡大断面図である。
以下保持器５の形態について図２、図３に基づき説明する。
保持器５はポリアミド等の樹脂からなり、射出成型によって形成されている。保持器５は軸方向両端部に円環状の耳部５ｂ、５ｃを有し、両耳部５ｂ、５ｃの外周面５ｄ、５ｅは円筒形状を有する。両耳部５ｂ、５ｃの内周面５ｆ、５ｇは円筒形状を有する。内周面５ｆ、５ｇから外周面５ｄ、５ｅの間には径方向外方に円盤状の側面５ｈ、５ｉが延在している。
【００２２】
両耳部５ｂ、５ｃは軸方向に柱部５ｊによって連結され、柱部５ｊは保持器５の円周方向に複数設けられている。対峙する両耳部５ｂ、５ｃと２個の柱部５ｊで、前記転動体４を転動可能に保持するポケット５ａが区画形成され、ポケット５ａは円周上等配に複数個形成されている。また複数の柱部５ｊの外周部の軸方向中央には突起部５ｋが形成されている。
【００２３】
複数の柱部５ｊの軸方向中央には、内周面から突起部５ｋの外周面５ｏに径方向に貫通する径方向孔５ｌが形成されている。また、保持器５の軸方向一方の側面５ｉから軸方向に前記複数の径方向孔５ｌに向って複数の軸方向孔５ｏが形成され、複数の軸方向孔５ｐは連通部５ｑにおいて径方向孔５ｌと連通している。
【００２４】
複数の径方向孔５ｌの軸方向孔５ｐとの連通部５ｑから突起部５ｋの外周面５ｏの開口部５ｓまでの長孔部５ｍは、連通部５ｑから内周部の開口部５ｒまでの短孔部５ｎにくらべ、長さが長く直径が大きく形成されている。複数の軸方向孔５ｐは連通部５ｑにおける直径が小径で、側面５ｉにおける直径が大径のテーパー形状に形成されている。
【００２５】
図１に示すように、複数の玉４は保持器５のポケット５ａに保持され、外輪軌道２ａと内輪軌道３ａの間に転動自在に配置されている。保持器５は内周面５ｆ、５ｇが内輪肩部３ｃ、３ｄにガイドされ、内周面５ｆ、５ｇと内輪肩部３ｃ、３ｄの間には微小な隙間Δ１、Δ２が形成されている。
【００２６】
図４は、本発明の実施形態の転がり軸受使用例を説明する説明図である。
図５は、従来の転がり軸受の使用例を説明する説明図である。
図４、図５は、転がり軸受１、１００が中心軸を垂直方向に、保持器５、５０の軸方向孔５ｐ、５０ｐを上方に向け、テーブル７、７０上に固定され、給脂ノズル６、６０より潤滑剤としてのグリース８、８０が供給されている状態を示している。
【００２７】
図４において、給脂ノズル６の先端部６ａは保持器５の軸方向孔５ｐに挿入されている。給脂ノズル６の先端部６ａの外径寸法は保持器５の軸方向孔５ｐの大径より小さく、小径より大きい。すなわち挿入された給脂ノズル６の先端部６ａは軸方向孔５ｐに密着し、グリース８が軸方向孔５ｐから保持器５の外部に漏れることはない。
【００２８】
また、図５の従来の転がり軸受の使用例においては、給脂ノズル６０の押し付け力と、保持器５０の自重で、保持器５０が玉４０に押付けられる。その結果、保持器５０の軸方向孔５０ｐの軸受内方側の開口部５０ｒが玉４０によって塞がれ、グリース８０が軌道部２０ａ、３０ａに供給されない。しかし、図４の本発明の形態によると、保持器５のポケット５ａ以外の場所に給脂用の径方向孔５ｌが設けられており、給脂ノズル６の押付け力や保持器５の自重で給脂経路が塞がれることはない。
【００２９】
また、図３、図４によると、保持器５の外周部の突起５ｋの外周面５ｏに径方向孔５ｌの開口部５ｓが設けられているため、開口部５ｓから外輪軌道２ａまでの間隔が短く、開口部５ｓから吐出されたグリース８は確実に外輪軌道２ａに供給される。さらに、連通部５ｑから突起部５ｋの外周面５ｏの開口部５ｓまでの長孔部５ｍの直径は、連通部５ｑから内周面の開口部５ｒまでの短孔部５ｎの直径よりおおきく、粘性流体であるグリースの流動抵抗が小さい。
【００３０】
通常、長さの長い流路は、長さの短い流路より流動抵抗が大きく流量が少なくなるが、長孔部５ｍの直径が短孔部５ｎの直径より大きいことにより、長孔部５ｍの流量と短孔部５ｎの流量を等しくすることができる。すなわち本発明の実施形態の転がり軸受は、潤滑剤であるグリース８を、軸方向孔５ｐに挿入されている給脂ノズル６から、確実、かつ均等に外輪軌道２ａ、内輪軌道３ａに供給することが可能であり、潤滑性能に優れ、寿命の
優れた転がり軸受といえる。
【００３１】
上述の実施形態の転がり軸受はアンギュラコンタクト玉軸受であるが、本発明においては深溝玉軸受等の他の形式の転がり軸受であってもよい。
【００３２】
上述の実施形態の転がり軸受において、保持器５はフェノール樹脂を機械加工により形成されているが、本発明において保持器はポリアミド等の樹脂を射出成型された構造や、黄銅等の金属を機械加工した構造であっても良い。
【００３３】
上述の実施形態の転がり軸受において、保持器５の軸方向孔５ｐはテーパー形状に形成されているが、本発明において保持器５の軸方向孔は円筒形状に形成されていても良い。
【００３４】
上述の実施形態の転がり軸受において、保持器５は外周部に突起部５ｋを有しているが、本発明において保持器は内周部のみ、または、外周部と内周部両方に突起部を有するものであっても良く、突起部を有しないものであっても良い。
【符号の説明】
【００３５】
１、１００          ‥転がり軸受
２                  ‥外輪
２ａ                ‥外輪軌道
２ｃ                ‥外輪肩部
３                  ‥内輪
３ａ                ‥内輪軌道
３ｃ、３ｄ          ‥内輪肩部
４                  ‥玉（転動体）
５                  ‥保持器
５ａ                ‥ポケット
５ｂ、５ｃ          ‥耳部
５ｊ                ‥柱部
５ｆ、５ｇ          ‥内周面
５ｄ、５ｅ          ‥外周面
５ｈ、５ｉ          ‥側面
５ｌ                ‥径方向孔
５ｐ                ‥軸方向孔
５ｋ                ‥突起部
５ｍ                ‥長孔部
５ｎ                ‥短孔部
Δ１、Δ２          ‥微小隙間
５ｑ                ‥連通部
５ｒ、５ｓ、５０ｒ  ‥開口部
【図１】
2013241993.tif 000003
【図２】
2013241993.tif 000004
【図３】
2013241993.tif 000005
【図４】
2013241993.tif 000006
【図５】
2013241993.tif 000007